【手続補正書】
【提出日】平成23年5月6日(2011.5.6)
【手続補正１】
【補正対象書類名】特許請求の範囲
【補正対象項目名】全文
【補正方法】変更
【補正の内容】
【特許請求の範囲】
【請求項１】
軸を中心として回転駆動するリードスクリューと、
前記リードスクリューの一方側の側面に対向して備えられた第１の歯と、前記リードスクリューの前記軸を挟んだ他方側の側面に対向して備えられ前記第１の歯と対向する第２の歯と、前記第１の歯と前記第２の歯との対向する方向と直交する方向の前記リードスクリューの側面に対向して備えられる第３の歯とを有し、被駆動部材を保持して前記リードスクリューの回転によって移動する従動部とを含み、
前記従動部が前記リードスクリューの回転によって移動するとき、前記第２の歯及び前記第３の歯は前記リードスクリューと非接触状態であり、前記第１の歯は前記リードスクリューと噛み合うことによって前記リードスクリューから動力が伝達されることを特徴とする駆動装置。
【請求項２】
軸を中心として回転駆動するリードスクリューと、
前記リードスクリューの一方側の側面に対向して備えられた第１の歯と、前記リードスクリューの前記軸を挟んだ他方側の側面に対向して備えられ前記第１の歯と対向する第２の歯と、前記第１の歯と前記第２の歯との対向する方向と直交する方向の前記リードスクリューの側面に対向して備えられる第３の歯とを有し、被駆動部材を保持して前記リードスクリューの回転によって移動する従動部とを含み、
前紀従動部が前記リードスクリューの回転によって移動するとき、前記第１の歯は前記リードスクリューと噛み合うことによって前記リードスクリューから動力が伝遠され、前記第２の歯は前記第１の歯よりも緩く前記リードスクリューと噛み合い、前記第３の歯は前記リードスクリューと噛み合わないことを特徴とする駆動装置。
【請求項３】
軸を中心として回転駆動するリードスクリューと、
前記リードスクリューの一方側の側面に対向して備えられた第１の歯と、前記リードスクリューの前詑軸を挟んだ他方側の側面に対向して備えられ前記第１の歯と対向する第２の歯と、前記第１の歯と前記第２の歯との対向する方向と直交する方向の前記リードスクリューの側面に対向して備えられる第３の歯とを有し、被駆動部材を保持して前記リードスクリューの回転によって移動する従動部と、
前記第１の歯が前記リードスクリューに近づくように前記第１の歯を付勢する付勢部材とを含み、
前記従動部が前紀リードスクリューの回転によって移動するとき、前記第１の歯は前記リードスクリューと噛み合うことによって前記リードスクリューから動力が伝達されることを特徴とする駆動装置。
【請求項４】
請求項３に記載された駆動装置であって、
前記付勢部材は、前記第２の歯が前記リードスクリューから遠ざかるように前記第２の歯を付勢することを特徴とする駆動装置。
【請求項５】
請求項３又は４に記載された駆動装置であって、
前記従動部が前記リードスクリューの回転によって移動するとき、前紀第１の歯は前記リードスクリューと噛み合うことによって前記リードスクリューから動力が伝達され、前記第２の歯は前詔第１の旛よりも緩く前記リードスクリューと噛み合い、前記第３の歯は前記リードスクリューと噛み合わないことを特徴とする駆動装置。
【請求項６】
請求項１から請求項５のいずれか１項に記載された駆動装置であって、
前記第２の歯は、前記リードスクリューの軸周りの位相が前記第１の歯から１８０度ずれた位置に備えられ、
前記第３の歯は、前記リードスクリューの軸周りの位相が前記第１の歯から９０度ずれた位置に備えられていることを特徴とする駆動装置。
【請求項７】
請求項１から請求項６のいずれか１項に記載された駆動装置であって、
前記第３の歯は、前記第１の歯及び前記第２の歯よりも前記被駆動部材に近い位置に備えられていることを特徴とする駆動装置。
【請求項８】
請求項１から請求項７のいずれか１項に記載された駆動装置であって、
前記従動部が、前記リードスクリューの側部を、一部が開放した状態で囲む内周面を有し、
前記第１の歯、前記第２の歯及び前記第３の歯が、前記内周面に形成されており、前記第３の歯が、更に前記内周面における前記リードスクリューの回転軸線の方向の一方に片寄って設けられていることを特徴とする駆動装置。
【請求項９】
請求項１から請求項８のいずれか１項に記載された駆動装置であって、
前記リードスクリューによる前記被駆動部材の駆動時には移動しない固定部に当接部が設けられ、
前記従動部の可動範囲の端部において、前記従動部が前記当接部に当接することによって、前記従動部の前記リードスクリューに沿った移動が制限されることを特徴とする駆動装置。
【請求項１０】
請求項１から請求項９のいずれか１項に記載された駆動装置であって、
前記リードスクリューによる前記被駆動部材の駆動時には移動しない固定部に設けられ、前記従動部における、前記第３の歯が片寄って設けられた前記一方側に対する他方であるとともに、前記第３の歯に対する前記リードスクリューの回転軸線を挟んだ反対側である部分と当接する当接部を備え、
前記従動部の可動範囲の端部において、前記従動部の前記部分が、前記当接部に当接することによって、前記従動部の前記リードスクリューに沿った移動が制限されることを特徴とする駆動装置。
【請求項１１】
請求項１から請求項１０のいずれか１項に記載された駆動装置であって、
前記従動部に回転軸線方向の衝撃が加わった場合、前記第１の歯は前記リードスクリューとの噛み合いを解除し、前記第３の歯がリードスクリューと噛み合うことを特徴とする駆動装置。
【請求項１２】
請求項１から請求項１１のいずれか１項に記載された駆動装置であって、
前記従動部はアームユニットを含み、該アームユニットは前記第１の歯が備わる第１のアームと前記第２の歯が備わる第２のアームからなり、該第１のアームの厚さは該第２のアームの厚さよりも厚いことを特徴とする駆動装置。
【請求項１３】
請求項１から請求項１２のいずれか１項に記載された駆動装置であって、
前記駆動装置はレンズ鏡筒に使用されてレンズを駆動することを特徴とする駆動装置。
【請求項１４】
請求項１から請求項１２のいずれか１項に記載された駆動装置であって、
前記駆動装置はカメラに使用されてレンズを駆動することを特徴とする駆動装置。
【手続補正２】
【補正対象書類名】明細書
【補正対象項目名】０００６
【補正方法】変更
【補正の内容】
【０００６】
請求項１に記載の発明は、軸を中心として回転駆動するリードスクリュー（２）と、前記リードスクリュー（２）の一方側の側面に対向して備えられた第１の歯（３１）と、前記リードスクリュー（２）の前記軸を挟んだ他方側の側面に対向して備えられ前記第１の歯（３１）と対向する第２の歯（３２）と、前記第１の歯（３１）と前記第２の歯（３２）との対向する方向と直交する方向の前記リードスクリュー（２）の側面に対向して備えられる第３の歯（３３）とを有し、被駆動部材（Ｌ）を保持して前記リードスクリュー（２）の回転によって移動する従動部（３）とを含み、前記従動部（３）が前記リードスクリュー（２）の回転によって移動するとき、前記第２の歯（３２）及び前記第３の歯（３３）は前記リードスクリュー（２）と非接触状態であり、前記第１の歯（３１）は前記リードスクリュー（２）と噛み合うことによって前記リードスクリュー（２）から動力が伝達されることを特徴とする駆動装置（１）である。
請求項２に記載の発明は、軸を中心として回転駆動するリードスクリュー（２）と、前記リードスクリュー（２）の一方側の側面に対向して備えられた第１の歯（３１）と、前記リードスクリュー（２）の前記軸を挟んだ他方側の側面に対向して備えられ前記第１の歯（３１）と対向する第２の歯（３２）と、前記第１の歯（３１）と前記第２の歯（３２）との対向する方向と直交する方向の前記リードスクリュー（２）の側面に対向して備えられる第３の歯（３３）とを有し、被駆動部材（Ｌ）を保持して前記リードスクリュー（２）の回転によって移動する従動部（３）とを含み、前紀従動部（３）が前記リードスクリュー（２）の回転によって移動するとき、前記第１の歯（３１）は前記リードスクリュー（２）と噛み合うことによって前記リードスクリュー（２）から動力が伝遠され、前記第２の歯（３２）は前記第１の歯（３１）よりも緩く前記リードスクリュー（２）と噛み合い、前記第３の歯（３３）は前記リードスクリュー（２）と噛み合わないことを特徴とする駆動装置（１）である。
請求項３に記載の発明は、軸を中心として回転駆動するリードスクリュー（２）と、前記リードスクリュー（２）の一方側の側面に対向して備えられた第１の歯（３１）と、前記リードスクリュー（２）の前詑軸を挟んだ他方側の側面に対向して備えられ前記第１の歯（３１）と対向する第２の歯（３２）と、前記第１の歯（３１）と前記第２の歯（３２）との対向する方向と直交する方向の前記リードスクリュー（２）の側面に対向して備えられる第３の歯（３３）とを有し、被駆動部材（Ｌ）を保持して前記リードスクリュー（２）の回転によって移動する従動部（３）と、前記第１の歯（３１）が前記リードスクリュー（２）に近づくように前記第１の歯（３１）を付勢する付勢部材とを含み、前記従動部（３）が前紀リードスクリュー（２）の回転によって移動するとき、前記第１の歯（３１）は前記リードスクリュー（２）と噛み合うことによって前記リードスクリュー（２）から動力が伝達されることを特徴とする駆動装置（１）である。
請求項４に記載の発明は、請求項３に記載された駆動装置（１）であって、前記付勢部材は、前記第２の歯（３２）が前記リードスクリュー（２）から遠ざかるように前記第２の歯（３２）を付勢することを特徴とする駆動装置（１）である。
請求項５に記載の発明は、請求項３又は４に記載された駆動装置（１）であって、前記従動部（３）が前記リードスクリュー（２）の回転によって移動するとき、前紀第１の歯（３１）は前記リードスクリュー（２）と噛み合うことによって前記リードスクリュー（２）から動力が伝達され、前記第２の歯（３２）は前詔第１の旛よりも緩く前記リードスクリュー（２）と噛み合い、前記第３の歯（３３）は前記リードスクリュー（２）と噛み合わないことを特徴とする駆動装置（１）である。
請求項６に記載の発明は、請求項１から請求項５のいずれか１項に記載された駆動装置（１）であって、前記第２の歯（３２）は、前記リードスクリュー（２）の軸周りの位相が前記第１の歯（３１）から１８０度ずれた位置に備えられ、前記第３の歯（３３）は、前記リードスクリュー（２）の軸周りの位相が前記第１の歯（３１）から９０度ずれた位置に備えられていることを特徴とする駆動装置（１）である。
請求項７に記載の発明は、請求項１から請求項６のいずれか１項に記載された駆動装置（１）であって、前記第３の歯（３３）は、前記第１の歯（３１）及び前記第２の歯（３２）よりも前記被駆動部材（Ｌ）に近い位置に備えられていることを特徴とする駆動装置である。
請求項８に記載の発明は、請求項１から請求項７のいずれか１項に記載された駆動装置（１）であって、前記従動部（３）が、前記リードスクリュー（２）の側部を、一部が開放した状態で囲む内周面を有し、前記第１の歯（３１）、前記第２の歯（３２）及び前記第３の歯（３３）が、前記内周面に形成されており、前記第３の歯（３３）が、更に前記内周面における前記リードスクリュー（２）の回転軸線の方向の一方に片寄って設けられていることを特徴とする駆動装置（１）である。
請求項９に記載の発明は、請求項１から請求項８のいずれか１項に記載された駆動装置（１）であって、前記リードスクリュー（２）による前記被駆動部材（Ｌ）の駆動時には移動しない固定部に当接部が設けられ、前記従動部（３）の可動範囲の端部において、前記従動部（３）が前記当接部に当接することによって、前記従動部（３）の前記リードスクリュー（２）に沿った移動が制限されることを特徴とする駆動装置（１）である。
請求項１０に記載の発明は、請求項１から請求項９のいずれか１項に記載された駆動装置（１）であって、前記リードスクリュー（２）による前記被駆動部材（Ｌ）の駆動時には移動しない固定部に設けられ、前記従動部（３）における、前記第３の歯（３３）が片寄って設けられた前記一方側に対する他方であるとともに、前記第３の歯（３３）に対する前記リードスクリュー（２）の回転軸線を挟んだ反対側である部分と当接する当接部を備え、前記従動部（３）の可動範囲の端部において、前記従動部（３）の前記部分が、前記当接部に当接することによって、前記従動部（３）の前記リードスクリュー（２）に沿った移動が制限されることを特徴とする駆動装置（１）である。
請求項１１に記載の発明は、請求項１から請求項１０のいずれか１項に記載された駆動装置（１）であって、前記従動部（３）に回転軸線方向の衝撃が加わった場合、前記第１の歯（３１）は前記リードスクリュー（２）との噛み合いを解除し、前記第３の歯（３３）がリードスクリュー（２）と噛み合うことを特徴とする駆動装置（１）である。
請求項１２に記載の発明は、請求項１から請求項１１のいずれか１項に記載された駆動装置（１）であって、前記従動部（３）はアームユニットを含み、該アームユニットは前記第１の歯（３１）が備わる第１のアームと前記第２の歯（３２）が備わる第２のアームからなり、該第１のアームの厚さは該第２のアームの厚さよりも厚いことを特徴とする駆動装置（１）である。
請求項１３に記載の発明は、請求項１から請求項１２のいずれか１項に記載された駆動装置（１）であって、前記駆動装置（１）はレンズ鏡筒に使用されてレンズを駆動することを特徴とする駆動装置（１）である。
請求項１４に記載の発明は、請求項１から請求項１２のいずれか１項に記載された駆動装置（１）であって、前記駆動装置（１）はカメラに使用されてレンズを駆動することを特徴とする駆動装置（１）である。